(57)【要約】【課題】戸の端面側からの引き出しが可能であり、指挟みを防止できる引手及び戸を提供する。【解決手段】実施形態にかかる引手は、第１方向に移動可能な戸の移動方向における端部に設けられ、前記戸の端面側に開口する凹部を有するベース部と、前記ベース部の前記凹部において、前記第１方向と交差する第２方向に可動に設けられるとともに前記端面側から指で把持可能に構成されたつまみ部と、を備えることを特徴とする。【選択図】図１
2014118701.tif 000002
【特許請求の範囲】
【請求項１】
第１方向に移動可能な戸の移動方向における端部に設けられ、前記戸の端面側に開口する凹部を有するベース部と、
前記ベース部の前記凹部において、前記第１方向と交差する第２方向に可動に設けられるとともに前記端面側から指で把持可能に構成されたつまみ部と、を備えることを特徴とする引手。
【請求項２】
前記ベース部の前記つまみ部よりも前記端面から退避した位置には、退避方向に指掛可能な第１の指掛け面と前記戸の端面側に指掛可能な第２の指掛け面を有するとともに前記戸の側方に開口する指掛け部が設けられ、
前記凹部における前記つまみ部の側部には前記つまみ部の移動に伴って拡縮し前記端面側から指が挿入可能な隙間が形成されることを特徴とする請求項１記載の引手。
【請求項３】
前記つまみ部の移動を案内するガイド手段を備えたことを特徴とする請求項１または２記載の引手。
【請求項４】
前記つまみ部を基準位置に向けて付勢する付勢手段を備えたことを特徴とする請求項１乃至３のいずれか記載の引手。
【請求項５】
前記ベース部は、前記装着凹部内に挿入されるフレームと、前記フレームの周縁で立設し前記装着凹部の周縁に重なるフランジ部と、前記凹部と前記指掛け部との間で立設する壁部と、を備え、前記戸の端部に形成され端面側が開口する装着凹部に装着され、
前記つまみ部は前記戸の端面側において前記第２方向の寸法が大きくなるよう構成されたことを特徴とする請求項１乃至４のいずれか記載の引手。
【請求項６】
前記つまみ部は、前記ベース部に搖動可能に設けられることを特徴とする請求項１乃至３のいずれか記載の引手。
【請求項７】
前記つまみ部は、前記戸の厚さ方向にスライド移動可能であることを特徴とする請求項１乃至６のいずれか記載の引手。
【請求項８】
スライド式の戸であって、
移動方向における端部に装着凹部を有し、
前記装着凹部に請求項１乃至７のいずれかに記載の引手を備えることを特徴とする戸。
【発明の詳細な説明】
【技術分野】
【０００１】
本発明は、引手及び戸に関する。
【背景技術】
【０００２】
引き戸や吊り戸等のスライド式の戸において、手指を掛ける凹部を有する取っ手を戸の両側面に設けるのに加え、戸を走行方向に引き出すためのハンドルを戸の端面に突出させて設ける場合がある。
【先行技術文献】
【特許文献】
【０００３】
【特許文献１】特許第４１７５８０４号公報
【発明の概要】
【発明が解決しようとする課題】
【０００４】
上述のようなスライド式の戸において、開閉操作時に、戸袋や引違いの別の戸等との間に指を挟むのを防止することが求められる。
【課題を解決するための手段】
【０００５】
実施形態にかかる引手は、第１方向に移動可能な戸の移動方向における端部に設けられ、前記戸の端面側に開口する凹部を有するベース部と、前記ベース部の前記凹部において、前記第１方向と交差する第２方向において可動に設けられるとともに前記端面側から指で把持可能に構成されたつまみ部と、を備えることを特徴とする。
【０００６】
実施形態に係る戸は、スライド式の戸であって、移動方向における端部に装着凹部を有し、前記装着凹部に前記引手を備えることを特徴とする。
【発明の効果】
【０００７】
本発明によれば、戸の端面側からの引き出しが可能であり、指挟みを防止できる。
【図面の簡単な説明】
【０００８】
【図１】本発明の一実施形態にかかる引手を備えた引き戸を示す説明図。
【図２】同実施形態にかかる引手の分解斜視図。
【図３】同実施形態にかかる引手の斜視図。
【図４】同実施形態にかかる引手の断面図。
【図５】同実施形態にかかる引手の動作を示す説明図。
【図６】同実施形態にかかる引手の動作を示す説明図。
【発明を実施するための形態】
【０００９】
以下、本発明の一実施形態かかる引手１５及び引き戸１０（戸）について、図１乃至図６を参照して説明する。各図中矢印Ｘ，Ｙ，Ｚはそれぞれ互いに直交する３方向を示す。ここでは例えばＸ軸は引き戸１０のスライド方向（第１方向）に、Ｙ軸は引き戸１０の厚さ方向（第２方向）に、Ｚ軸は縦方向に、沿っている。また、各図において説明のため、適宜構成を拡大、縮小または省略して示している。
【００１０】
図１に示すように、複数枚の引き戸１０が、戸枠１１にスライド可能に収められ、敷居１２に設けられたレール１３に係合している。例えば開状態において引き戸１０は引違の他の引き戸１０と重ねて配置され、あるいは戸袋に収納され、戸枠１１が開放される。一方、閉状態において引き戸１０は走行方向に引き出されて戸当たりに至り、戸枠１１を閉塞する。
【００１１】
引き戸１０は例えば天然木材や圧縮材等の木質系で矩形の板状に構成され、戸頭の端部に引手１５を嵌める装着凹部１０ａが形成されている。図２に示すように装着凹部１０ａは例えば引き戸１０の走行方向前方の端部の一部が端面１０ｂ側に開口するようにコ字状に切り欠かれた凹みで構成されている。この装着凹部１０ａに引手１５が挿入され固定されている。
【００１２】
図１乃至図３に示すように、引手１５は、装着凹部１０ａに装着されるベース部２０と、ベース部２０に回動可能に設けられるレバー４０と、レバー４０をベース部２０に回動可能に支持するロッド５０と、レバー４０を基準位置に付勢する付勢手段としてのばね部材６０と、レバー４０との間に装着される一対のカバー６０と、備えて構成される。
【００１３】
ベース部２０は、例えばＡＢＳ樹脂成形品であり、装着凹部１０ａに挿入される挿入部２１と、挿入部２１の周囲から立設し装着凹部１０ａの周縁において引き戸１０の外面に重なるフランジ部２２と、を一体に備えている。
【００１４】
挿入部２１は、上壁２３ａと後壁２３ｃと下壁２３ｂとを有するコ字状のフレーム２３と、装着凹部１０ａの奥方で縦方向に延びる縦壁部２４と、を一体に有している。
【００１５】
上壁２３ａ及び下壁２３ｂの縦壁部２４よりも前方の所定位置には、ロッド５０が挿通される軸孔２５が形成されている。また、上壁２３ａには、レバー４０のガイド突起を案内する円弧状のガイドスリット２６が形成されている。ガイドスリット２６はロッド５０を回動中心とする円弧に沿って所定長さに形成され、レバー４０の移動を案内するガイド手段として機能する。
【００１６】
上壁２３ａの上面には、ばね部材６０の固定部６１を押さえて固定する複数の爪片２７、ばね部材６０のコイル部６２に挿入されて位置を規制する複数の固定突起２８、上方に突出し装着凹部１０ａとの相対位置を規制する規制リブ２９、が一体に形成されている。後壁２３ｃの背面には、装着凹部１０ａの後面に対向する筋状のリブ３０が縦方向に複数立設して形成されている。
【００１７】
上壁２３ａの軸孔２５、レバー４０の軸挿通孔４３、下壁２３ｂの軸孔２５を通って縦に延びるロッド５０の、上壁２３ａの上側及び下壁２３ｂの下側に位置する周溝５１に、Ｅリング５２が装着されることで、レバー４０がベース部２０に回動可能に軸支される。ガイドスリット２６にレバー４０の係合突起４２が案内されることで、レバー４０の移動ルート及び移動範囲が規制される。上壁２３ａ及び下壁２３ｂの内面側であって縦壁部２４の前方には、つまみ部４１の上端及び下端がそれぞれ係合する凹み３２ａや、カバー７０の爪部７１が挿入係止される爪孔３２ｂが形成されている。
【００１８】
フランジ部２２は、挿入部２１の周縁から立設して設けられ、引き戸１０の装着凹部１０ａ周縁の面に重なるように構成されている。フランジ部２２は引き戸１０の両側面１０ｃに沿って重なるコ字状の側部フランジ２２ａと、引き戸１０の端面の沿って重なる上下の端部フランジ２２ｂとを連続して有している。各側部フランジ２２ａ及び各端部フランジ２２ｂには取付孔３１が形成され、この取付孔３１を介してベース部２０が引き戸１０にねじ留め固定される。
【００１９】
縦壁部２４は、レバー４０の後方において上壁２３ａと下壁２３ｂとの間で縦方向に延びている。図４に断面を示すように、縦壁部２４は、後壁２３ｃから前方に縮幅しながら突出し、その前端部近傍において幅方向両側に突出する一対の突起壁２４ａを有している。
【００２０】
縦壁部２４の両側部において、突起壁２４ａよりも後方には引き戸１０の側方に開口する凹みで構成される一対の指掛け部３３が形成される。突起壁２４ａよりも前方には引き戸１０の端面側に開口する凹部３４が形成される。すなわち、突起壁２４ａは、凹部３４と指掛け部３３との間で側方に突出している。指掛け部３３において、後壁２３ｃ側に形成される湾曲面が退避側に指掛可能な第１の指掛け面３５を構成し、突起壁２４ａの後面が端面側に指掛可能な第２の指掛け面３６を構成する。縦壁部２４の前端面２４ｂは円弧状に凹むように湾曲し、レバー４０を回動可能に受ける受け面を構成している。
【００２１】
図２及び図４に示すように、レバー４０は、ベース部２０に搖動可能に設けられている。レバー４０は、上壁２３ａと下壁２３ｂの間の凹部３４において上下に延びるつまみ部４１と、ガイドスリット２６を通って上壁２３ａ上に突き出る係合突起４２と、を一体に有している。
【００２２】
つまみ部４１は上下方向に延びており、前端側で引き戸１０の厚さ方向の寸法が大きくなる断面形状に構成されている。つまみ部４１は、前端面４１ａが基準位置において引き戸１０の端面１０ｂと揃う平面状に構成され、この前端面４１ａの両脇から奥方に向かって内方に凹む湾曲側面４１ｂを有している。前端面４１ａの両側には指が挿入可能な隙間Ｓが形成される。
【００２３】
この隙間Ｓから指を挿入し、引き戸１０の側部が他の戸板や壁で閉塞された状態であっても端面側からつまみ部４１を手指で把持可能であり、また、湾曲側面４１ｂに指を掛けることも可能であり、引き戸１０を引き出すことが可能となる。さらに、レバー４０の搖動に伴って、前端面４１ａが傾斜するとともに、側方に形成される隙間Ｓが拡縮するようになっているため、隙間Ｓに指を掛けたまま引き戸１０を開けた際には指の力でレバー４０が搖動することで隙間Ｓが広がり、指挟みが防止される。
【００２４】
ロッド５０は、縦に延びる軸体であり、長手方向両端部に周溝５１が形成されている。ロッド５０はレバー４０、上壁２３ａ、下壁２３ｂを通って挿通され、上壁２３ａ上及び下壁２３ｂ下に位置する周溝５１にＥリング５２が装着されることで、ベース部２０にレバー４０を回動可能に支持する。
【００２５】
付勢手段としてのばね部材６０は、ねじりコイルばねである。ばね部材６０は線材が曲げ加工されて構成され、コ字状の固定部６１と、固定部６１の両端部にコイル部６２が設けられ、両側の端部６３は両コイル部６２さらに後方かつ内方に斜めに延びている。固定部６１が上壁２３ａの複数の爪片２７に係止されるとともに、コイル部６２に固定突起２８が挿入されることで、ばね部材６０は上壁２３ａに固定されている。両側の端部６３は、ガイドスリット２６から突き出た係合突起４２に係合しており、係合突起４２を両側から付勢することで、つまみ部４１を基準位置に向けて付勢する。
【００２６】
ベース部２０とレバー４０との間には、上下一対のカバー７０が組み付けられる。カバー７０は、両端に爪部７１を備え、つまみ部４１の上端と上壁２３ａとの間及びつまみ部４１の下端と下壁２３ｂとの間に形成される間隙にそれぞれ挿入され、爪部７１が爪孔３２ｂに係止されることにより、間隙を覆うとともにレバー４０を位置決めする機能を果たす。
【００２７】
以上のように構成された引手１５が装着された引き戸１０は、閉戸時の移動方向前方において、隙間Ｓから端面側外方に連通する凹部３４がレバー４０の両側部に形成され、レバー４０の後方には引き戸１０の厚さ方向両側に突出する突起壁２４ａが設けられている。この両突起壁２４ａのさらに後方には側方に開口する指掛け部３３がそれぞれ形成されている。
【００２８】
したがって、図５に示すように、引き戸１０を引き出して引き戸１０を閉める場合（閉戸時）には、戸袋に収納され、あるいは引違の他の引き戸１０と重ねて配されることによって側方が塞がれた状態であっても、レバー４０の両脇の隙間Ｓから指を挿入してつまみ部４１をつまみ、前方に引っ張ることで引き戸１０を前方に移動させることができる。また、この時に図６に示すように手指でつまみ部をいずれかの側方側に偏るように搖動させることにより隙間Ｓを広げることができ指掛けが容易となる。
【００２９】
さらに、一定距離引き出された状態では側方に開口される指掛け部３３にも指を掛けることができ、引き戸１０の開閉操作が可能となる。すなわち、引き戸１０を開ける方向に移動させる際には第１指掛け面３５に指を掛けて後方に移動させ、引き戸１０を閉める方向に移動させる際には第２指掛け面３６に指をかけて前方に移動させることができる。
【００３０】
また、図６に示すように、開戸時に引き戸１０の側部が引違の他の戸板と重なりあるいは戸袋に収納される場合に引き戸１０の側部が狭くなるが、指の力によってばね力に抗してレバー４０が搖動できるため、隙間Ｓが拡縮され、指挟みを防止することが可能となる。レバー４０が基準位置から移動した後は、操作力を解除することで、ばね部材６０の付勢力によってレバー４０が付勢され、再び基準位置に復帰する。
【００３１】
本実施形態に係る引手１５によれば、レバー４０を回動可能に構成して隙間Ｓの大きさを可変としたことで、戸を開ける際に指を掛けたままでも戸袋や他の戸板との間に指を挟むことを防止できる。また一つの引手１５で、端面１０ｂ側からの引き出し操作と両側部からの指掛けによる開閉操作が可能である。したがって、引き戸１０の両側面にそれぞれ引手を備え、且つ端面にもハンドルを備える構造と比べて、部品数や加工数を減らすことができる。
【００３２】
なお、本発明は前記実施の形態に限定されるものではなく、本発明の要旨を逸脱しない範囲で種々変形実施可能である。また、各部の具体的構成や材質等は上記実施形態に例示したものに限られるものではなく適宜変更可能である。
【００３３】
例えば上記実施形態ではレバー４０をベース部２０に軸支させてガイドスリット２６による所定のルートで搖動させることによってつまみ部４１の第２方向の移動を実現したが、これに限られるものではない。例えば他の実施形態としてレバー４０を引き戸１０の厚さ方向にスライドさせるように構成してもよい。
【００３４】
また指掛け部３３は両側にそれぞれ開口する凹みで構成した場合を例示したが、これに限られるものではなく例えば貫通孔で構成してもよい。
【００３５】
また上記実施形態では横方向にスライド移動させる引き戸１０に適用した場合を例示したが、これに限られるものではない。例えば他に吊り戸や昇降式の戸等にも本発明を適用可能である。
【符号の説明】
【００３６】
１０…引き戸（戸）、１０ａ…装着凹部、１０ｂ…端面、１０ｃ…側面、１１…戸枠、１２…敷居、１３…レール、１５…引手、２０…ベース部、２１…挿入部、２２…フランジ部、２２ａ…側部フランジ、２２ｂ…端部フランジ、２３…フレーム、２３ａ…上壁、２３ｂ…下壁、２３ｃ…後壁、２４…縦壁部、２４ａ…突起壁、２４ｂ…前端面、２５…軸孔、２６…ガイドスリット、２７…爪片、２８…固定突起、２９…規制リブ、３０…リブ、３１…取付孔、３３…指掛け部、３４…凹部、３５…第１指掛け面、３６…第２指掛け面、４０…レバー、４１ａ…前端面、４１ｂ…湾曲側面、４２…係合突起、４３…軸挿通孔、５０…ロッド、５１…周溝、５２…Ｅリング、６０…ばね部材、６１…固定部、６２…コイル部、６３…両端部、７０…カバー。
【図１】
2014118701.tif 000003
【図２】
2014118701.tif 000004
【図３】
2014118701.tif 000005
【図４】
2014118701.tif 000006
【図５】
2014118701.tif 000007
【図６】
2014118701.tif 000008